(57)【特許請求の範囲】
【請求項１】
密閉容器内に略一定の回転数で駆動する電動要素と、この電動要素により駆動され冷媒を圧縮する回転圧縮要素とを収容した定速圧縮機を備え、この定速圧縮機が、前記密閉容器に設けられる複数の脚片部と底板との間に弾性部材を介在させた状態で、当該脚片部を前記底板上に締結具で固定される空気調和装置において、少なくとも一の脚片部に配置される前記締結具の上端部と前記底板とを連結する連結部材を備え、この連結部材は、高さ方向に延在して前記脚片部及び弾性部材の側方に位置する縦板部と前記縦板部に連結されて前記底板の上面に固定される固定部とを備え、前記縦板部は、前記底板に設けた開口を通じ、前記底板の下方で反転した後、該底板の上面で前記固定部に連結されることを特徴とする空気調和装置。
【請求項２】
前記脚片部には、前記締結具が貫通するとともに当該締結具よりも十分大きく拡径した開口が形成されていることを特徴とする請求項１に記載の空気調和装置。
【請求項３】
前記連結部材は、板金を折り曲げて形成されることを特徴とする請求項１または２に記載の空気調和装置。
【請求項４】
前記連結部材は、前記脚片部の上方に延在する部分を備えることを特徴とする請求項１乃至３のいずれかに記載の空気調和装置。
【請求項５】
前記連結部材は、前記脚片部の上方から取付可能に構成されたことを特徴とする請求項１乃至４のいずれかに記載の空気調和装置。
【請求項６】
前記締結具はボルトとナットとを備え、このナットを前記底板に溶接したことを特徴とする請求項１乃至５のいずれかに記載の空気調和装置。
【発明の詳細な説明】
【技術分野】
【０００１】
本発明は、定速圧縮機を有する空気調和装置に関する。
【背景技術】
【０００２】
従来、冷房及び暖房能力を充分に確保するために、複数の圧縮機を有する室外機を備えた空気調和装置が知られている。この種の空気調和装置は、インバータで回転数の制御が可能な可変速の圧縮機（インバータ圧縮機）と、電源周波数に依存する一定速度のみで運転する定速の圧縮機（定速圧縮機）と、を備えるのが一般的である。（例えば、特許文献１参照）。
【先行技術文献】
【特許文献】
【０００３】
【特許文献１】特開２００３−１３０４９２号公報
【発明の概要】
【発明が解決しようとする課題】
【０００４】
ところで、この種の圧縮機は、円筒形の密閉容器内に電動要素と、この電動要素により駆動され冷媒を圧縮する回転圧縮要素とを収容した密閉型圧縮機であり、密閉容器の下端部に設けられる複数の脚片部を備え、これら脚片部と室外機の底板との間に防振用のマウントゴムを介在させた状態で、当該脚片部を底板上にボルトで締結している。
また、圧縮機は、密閉容器に冷媒吸込、冷媒吐出、そして、オイル循環用の３つの配管が接続されている。定速圧縮機においては、インバータ圧縮機と異なり、起動時に急激な回転数への追従のために、密閉容器に大きなトルクが発生する。起動時に発生する大きなトルクは、脚片部を介して、上記ボルトや各配管に多大な応力を作用するといった問題がある。
本発明は、上述した事情に鑑みてなされたものであり、簡単な構成で、定速圧縮機の起動時にボルトや接続配管へ生じる応力の緩和を図った空気調和装置を提供することを目的とする。
【課題を解決するための手段】
【０００５】
上記目的を達成するために、本発明は、密閉容器内に略一定の回転数で駆動する電動要素と、この電動要素により駆動され冷媒を圧縮する回転圧縮要素とを収容した定速圧縮機を備え、この定速圧縮機が、前記密閉容器に設けられる複数の脚片部と底板との間に弾性部材を介在させた状態で、当該脚片部を前記底板上に締結具で固定される空気調和装置において、少なくとも一の脚片部に配置される前記締結具の上端部と前記底板とを連結する連結部材を備え、この連結部材は、高さ方向に延在して前記脚片部及び弾性部材の側方に位置する縦板部と前記縦板部に連結されて前記底板の上面に固定される固定部とを備え、前記縦板部は、前記底板に設けた開口を通じ、前記底板の下方で反転した後、該底板の上面で前記固定部に連結されることを特徴とする。
【０００６】
この構成において、前記脚片部には、前記締結具が貫通するとともに当該締結具よりも十分大きく拡径した開口が形成されている構成としても良い。また、前記連結部材は、板金を折り曲げて形成される構成としても良い。
【０００７】
また、前記連結部材は、前記脚片部の上方に延在する部分を備える構成としても良い。また、前記連結部材は、前記脚片部の上方から取付可能に構成されても良い。また、前記締結具はボルトとナットとを備え、このナットを前記底板に溶接した構成としても良い。
【発明の効果】
【０００８】
本発明によれば、密閉容器内に略一定の回転数で駆動する電動要素と、この電動要素により駆動され冷媒を圧縮する回転圧縮要素とを収容した定速圧縮機を備え、この定速圧縮機が、前記密閉容器に設けられる複数の脚片部と底板との間に弾性部材を介在させた状態で、当該脚片部を前記底板上に締結具で固定される空気調和装置において、少なくとも一の脚片部に配置される前記締結具の上端部と前記底板とを連結する連結部材を備えるため、例えば、定速圧縮機の起動時に、密閉容器に作用するトルクを連結部材で受けることにより、簡単な構成で、密閉容器を固定する締結具や当該密閉容器に設けられた配管類に作用する応力を緩和することができる。
【図面の簡単な説明】
【０００９】
【図１】本実施形態に係る空気調和装置の冷媒回路図である。
【図２】室外機の構成を示す冷媒回路図である。
【図３】定速圧縮機の配置構成を示す室外機の部分斜視図である。
【図４】脚片部周辺を示す拡大斜視図である。
【図５】脚片部、マウントゴム及び規制部材の配置構成を示す図である。
【図６】図５の側断面図である。
【図７】別の実施形態にかかる連結部材の配置構成を示す斜視図である。
【図８】図７の正面図である。
【図９】別の実施形態にかかる連結部材の配置構成図である。
【図１０】別の実施形態にかかる連結部材の配置構成図である。
【発明を実施するための形態】
【００１０】
以下、図面を参照して本発明の一実施の形態について説明する。
図１において、符号１は空気調和装置を示す。この空気調和装置１は、複数台（２台）の室外機２Ａ、２Ｂと、複数台（２台）の室内機３Ａ、３Ｂとを備え、これら室外機２Ａ、２Ｂと室内機３Ａ、３Ｂとは、ガス管４及び液管５により接続されている。
【００１１】
室内機３Ａは、室内熱交換器８と室内膨張弁９とを備えて構成され、この室内熱交換器８の一端はガス管４に接続され、室内熱交換器８の他端は、室内膨張弁９を介して液管５に接続されている。また、室内機３Ａには、室内熱交換器８の出入口温度や室温を検出する温度センサ等が配置される他、これらセンサの検出結果を入力してこの室内機３Ａの制御を行う室内制御装置（不図示）を備えている。また、室内機３Ｂは、室内機３Ａと略同一の構成であるため、同一の部分に同一の符号を付して示し、重複する説明は省略する。
【００１２】
図２は、室外機２Ａの構成を拡大して示す回路図である。なお、室外機２Ｂは略同様の構成であり、その説明を省略する。室外機２Ａは、複数台（２台）の能力一定型の定速圧縮機（ＡＣ圧縮機）１１ａ、１１ｂと、能力可変型のインバータ圧縮機（ＤＣインバータ圧縮機）１２と、アキュムレータ１３と、オイルセパレータ１４と、四方弁１５と、室外熱交換器１６ａ、１６ｂと、室外膨張弁１７ａ、１７ｂと、レシーバタンク１８等から概略構成されている。
【００１３】
定速圧縮機１１ａ、１１ｂと、インバータ圧縮機１２とは並列接続され、室内機３Ａ、３Ｂの空調負荷の大きさに応じて、これらの圧縮機１１ａ、１１ｂ、１２の発停及び、インバータ圧縮機１２の運転周波数が制御される。また、各圧縮機１１ａ、１１ｂ、１２の吸込口には吸込管３１の一端が接続され、この吸込管３１の他端はアキュムレータ１３を経由して四方弁１５に接続されている。
また、各圧縮機１１ａ、１１ｂ、１２の吐出口には吐出管３２の一端が接続され、この吐出管３２の他端はオイルセパレータ１４を経由して四方弁１５に接続されている。この四方弁１５は、吸込管３１及び吐出管３２を、ガス管４に繋がる室内ガス管３５または室外熱交換器１６ａ、１６ｂにそれぞれ連通するように切り換えられる。
室外熱交換器１６ａ、１６ｂには、室外膨張弁１７ａ、１７ｂ、レシーバタンク１８及び補助冷却回路２１を介して、液管５に接続されている。また、室外膨張弁１７ａ、１７ｂと並列に、逆止弁１９ａ、１９ｂが接続され、この逆止弁１９ａ、１９ｂは、室外熱交換器１６ａ、１６ｂからレシーバタンク１８への冷媒の流れを許容し、逆方向への冷媒の流れを禁止する。
補助冷却回路２１は、冷房運転時に、室外熱交換器１６ａ、１６ｂで凝縮された液冷媒を過冷却してＣＯＰの改善に寄与するものである。この補助冷却回路２１は、いわゆる２重管式熱交換器であり、内管には、レシーバタンク１８と液管５とに接続される室内液管３３が連通し、外管には、室内液管３３から分岐して吸込管３１に接続される分岐管３４が連通する。分岐管３４には電動膨張弁２２が配設される。この分岐管３４を流れる冷媒は、室内液管３３を流れる冷媒を冷却する際に蒸発し、吸込管３１を介して、各圧縮機１１ａ、１１ｂ、１２の吸込口に戻される。
【００１４】
オイルセパレータ１４には、オイルセパレータ１４に溜められたオイル量が所定量以上の場合に、余剰のオイルを圧縮機１１ａ、１１ｂ、１２の吸込管３１に戻すオイル戻し管３６が接続されている。このオイル戻し管３６には、オイル分岐管３６Ａが接続され、このオイル分岐管３６Ａは逆止弁３８を介して、オイルバランス管６に接続される。このオイルバランス管６には、他の室外機２Ｂ（図１参照）のオイルセパレータ１４から延びるオイル分岐管３６Ａが接続されており、複数の室外機２Ａ、２Ｂ間でオイル量の均衡を図っている。
また、各圧縮機１１ａ、１１ｂ、１２は、圧縮動作時に内部が高圧となる高圧容器の圧縮機であり、一の圧縮機の高圧部（高圧容器内）と他の圧縮機の低圧部（吸込管３１内）とがオイル管３７で連結され、各圧縮機１１ａ、１１ｂ、１２内のオイル量が適正に調整される構成となっている。
【００１５】
室外機２Ａの吐出管３２には、それぞれ逆止弁２５が設けられ、各圧縮機１１ａ、１１ｂ、１２の運転停止時に吐出ガスが逆流し、当該圧縮機１１ａ、１１ｂ、１２の圧縮要素が逆回転することを防止している。
また、吐出管３２には、各圧縮機１１ａ、１１ｂ、１２の吐出ガスの圧力をそれぞれ検出する吐出圧センサＨＰと、吐出ガスの温度を検出する吐出温度センサ４０とが配設される。また、吸込管３１には、各圧縮機１１ａ、１１ｂ、１２の吸込ガスの圧力をそれぞれ検出する吸込圧センサＬＰと、吸込ガスの温度を検出する吸込温度センサ４１とが配設される。また、室外熱交換器１６ａ、１６ｂには、室外熱交換器１６ａ、１６ｂの出入口温度をそれぞれ検出する温度センサ４２、４３が配設される。さらに、オイルセパレータ１４と四方弁１５との間には高圧スイッチＨＰＳが配設され、四方弁１５とアキュムレータ１３との間には低圧スイッチＬＰＳが配設されている。これらの圧力センサ、温度センサ及び圧力スイッチは、いずれも室外制御装置５０に接続され、室外制御装置５０は、これら各センサにより検出された圧力や温度、及び各スイッチから出力された信号を取得する。
室外制御装置５０は、ＣＰＵ（Ｃｅｎｔｒａｌ  Ｐｒｏｃｅｓｓｉｎｇ  Ｕｎｉｔ）と、このＣＰＵに実行される制御プログラムや、この制御プログラムに係るデータ等を不揮発的に記憶するＲＯＭ（Ｒｅａｄ  Ｏｎｌｙ  Ｍｅｍｏｒｙ）と、ＣＰＵに実行されるプログラムや、このプログラムに係るデータ等を一時的に記憶するＲＡＭ（Ｒａｎｄｏｍ  Ａｃｃｅｓｓ  Ｍｅｍｏｒｙ）等を備えて構成されている。
室外機２Ａ、２Ｂのいずれかの室外制御装置５０は、リモートコントローラ（不図示）を介して入力したユーザ指示等に応じて、他の室外制御装置５０や室内制御装置と通信し、この空気調和装置１全体の運転制御を行う。具体的には、室外制御装置５０は、ユーザにより指示された動作を実現するため、自ユニットが備える圧力センサ、温度センサにより検出された圧力および温度に基づき、圧縮機の発停や運転周波数を制御したり、各種弁を開閉・切換する制御を行う。
【００１６】
図３は、定速圧縮機１１ａの配置構成を示す室外機の部分斜視図である。
定速圧縮機１１ａは、密閉形のスクロールコンプレッサであり、密閉容器６１と、この密閉容器６１内に収容され、電源周波数に依存する略一定の回転数で駆動される電源要素（不図示）と、この電源要素により駆動されて冷媒を圧縮する回転圧縮要素（不図示）とを備える。この密閉容器６１は、図３に示すように、高さ方向に長い円筒形容器であり、密閉容器６１の下部には、放射状に延出する複数の脚片部６２が設けられている。
定速圧縮機１１ａは、これら脚片部６２と室外機２Ａの底板１０との間にマウントゴム（弾性部材）６３を介在させ、底板１０に固定されている。具体的には、脚片部６２及びマウントゴム６３をボルト（締結具）６５で貫通し、このボルト６５を底板１０に螺合させている。
【００１７】
図４は、脚片部６２周辺を示す拡大斜視図であり、図５は、脚片部６２、マウントゴム６３及び連結部材７０の配置構成を示す図であり、図６は、図５の側断面図である。
脚片部６２は、図４乃至図６に示すように、上面部６２Ａと、この上面部６２Ａの縁部から下方に延びる側面部６２Ｂとを備え、この側面部６２Ｂとマウントゴム６３の上端部とが側面視でオーバラップするようになっている。これにより、マウントゴム６３は、密閉容器６１及び脚片部６２の動作に追従して動き、この密閉容器６１の振動を抑制する。
また、脚片部６２の上面部６２Ａには、ボルト６５の径よりも大きな開口６２Ａ１（図６）が形成されている。密閉容器６１及び脚片部６２が動作した際、脚片部６２は、開口６２Ａ１の縁部がボルト６５に触れないように揺動することにより、脚片部６２とボルト６５との接触が防止され、このボルト６５に過剰なせん段力が作用することが防止される。
マウントゴム６３は、図６に示すように、ボルト６５が貫通する貫通孔６３Ａを備える。また、マウントゴム６３の下面には、下方に突出して底板１０に形成された孔部５５に嵌る突出部６３Ｃが設けられている。この突出部６３Ｃが孔部５５に嵌ることにより、マウントゴム６３の位置決めが可能となる。
底板１０の下方には、ボルト６５に螺合するナット６６が溶接されて設けられており、脚片部６２の上方からボルト６５の締め込みを容易に行うことができるようになっている。
【００１８】
ところで、定速圧縮機１１ａ、１１ｂは、電源周波数に依存して、一定速度で運転を行うため、定速圧縮機１１ａの起動時には、所定回転数への急激な追従のために、大きなトルクが定速圧縮機１１ａ、１１ｂの密閉容器６１に発生し、この密閉容器６１が振動する。上述のように、密閉容器６１の脚片部６２と底板１０との間にはマウントゴム６３を介在され、振動を抑制するように機能する。しかし、定速圧縮機１１ａの起動時のように、密閉容器６１に過大な回転トルクが生じた場合には、マウントゴム６３の変形に伴い、ボルト６５が傾倒するため、ナット６６で固定されるボルト６５の下端部６５Ａ（図６）で大きなせん断力が生じるとともに、密閉容器６１に接続される吸込管３１、吐出管３２、オイル管３７に大きな応力がかかる。
本構成では、ボルト６５の上端部６５Ｂ（図６）と底板１０とを連結する連結部材７０を備え、定速圧縮機１１ａ、１１ｂの起動時に密閉容器６１に作用する回転トルクによるボルト６５の傾倒を規制している。
【００１９】
連結部材７０は、図４に示すように、長尺の板金を略Ｓ字状に折り曲げて形成され、脚片部６２の上面部６２Ａの上方に延在する横板部７１と、この横板部７１の端部から下方に延びて脚片部６２及びマウントゴム６３の側方に位置する縦板部７２と、この縦板部７２の端部を上記マウントゴム６３から離間する方向に折り曲げられる固定部７３とを備える。
横板部７１には、図６に示すように、ボルト６５のねじ部と同程度の径の貫通孔７１Ａが設けられ、この貫通孔７１Ａによりボルト６５の上端部６５Ｂが支持される。本構成では、ボルト６５は、密閉容器６１が振動する際には、この振動によって脚片部６２が揺動可能な程度の隙間を設けて締結されている。
また、縦板部７２は、図５に示すように、脚片部６２との間に隙間を設けて配置されている。これにより、脚片部６２が揺動した場合に、この脚片部６２が連結部材７０に当接することが防止される。固定部７３は、連結部材７０を底板１０に固定するための孔部７３Ａを備えて底板１０上に延在し、この孔部７３Ａを介して底板１０にボルト等で固定されている。なお、固定部７３を底板１０に溶接等の手段で固定しても良い。これによれば、ボルト６５の上端部６５Ｂは、連結部材７０を介して底板１０に固定される。これにより、例えば、定速圧縮機１１ａの起動時に、密閉容器６１に過大な回転トルクが生じた場合であっても、この回転トルクを連結部材７０の折り曲げ部で受けることにより、ボルト６５の下端部６５Ａや密閉容器６１に設けられた配管類に作用する応力を緩和することができる。
【００２０】
さらに、本実施形態では、連結部材７０は、脚片部６２の上面部６２Ａの上方に延在する横板部７１を備えるため、密閉容器６１及び脚片部６２に、当該密閉容器６１を引き抜く方向（図５中Ｙ方向）に荷重がかかったとしても、連結部材７０によって当該引き抜く方向への耐荷重が向上する。
本実施形態によれば、密閉容器６１内に略一定の回転数で駆動する電動要素と、この電動要素により駆動され冷媒を圧縮する回転圧縮要素とを収容した定速圧縮機１１ａ、１１ｂを備え、この定速圧縮機１１ａ、１１ｂが、密閉容器６１に設けられる複数の脚片部６２と室外機２Ａの底板１０との間にマウントゴム６３を介在させた状態で、当該脚片部６２を底板１０上にボルト６５で固定され、脚片部６２に配置されるボルト６５の上端部６５Ｂと底板１０とを連結する連結部材７０を備えるため、この連結部材７０が定速圧縮機１１ａ、１１ｂの起動時に密閉容器６１に作用する回転トルクを受けることにより、当該連結部材７０を設けるといった簡単な構成で、ボルト６５の傾倒が防止され、このボルト６５及び密閉容器６１に接続された配管類に作用する応力を緩和することができる。
【００２１】
また、脚片部６２には、ボルト６５が貫通するとともに当該ボルト６５よりも十分大きく拡径した開口６２Ａ１が形成されているため、ボルト６５の上端部６５Ｂを連結部材７０で保持しても、脚片部６２は、開口６２Ａ１の縁部がボルト６５に触れないように揺動することにより、脚片部６２とボルト６５との接触が防止され、このボルト６５に過剰なせん段力が作用することが防止される。
【００２２】
また、本実施形態によれば、連結部材７０は、板金を折り曲げて形成されるため、板金の曲げ部で応力を吸収することができ、構成を簡素化できる。
また、本実施形態によれば、連結部材７０は、脚片部６２の上方に延在する横板部７１を備えるため、密閉容器６１及び脚片部６２に、当該密閉容器６１を引き抜く方向に荷重がかかったとしても、連結部材７０によって当該引き抜く方向への耐荷重が向上する。
また、本実施形態によれば、連結部材７０は、脚片部６２の上方から取付可能に構成されているため、室外機２Ａの底板１０の下方に手を入れることなく、簡単な作業で連結部材７０を取り付けることができる。
また、本実施形態によれば、脚片部６２及びマウントゴム６３は、ボルト６５とナット６６とで締結され、このナット６６は室外機２Ａの底板１０に溶接されているため、脚片部６２の上方からボルト６５の締め込みを容易に行うことができるようになっている。
【００２３】
次に、別の実施形態について説明する。
図７は、別の実施形態にかかる規制部材の配置構成を示す斜視図であり、図８は、図７の正面図である。この別の実施形態において、上記実施形態と同一の構成については、同一の符号を付して説明を省略する。
連結部材８０は、長尺の板金を折り曲げて形成され、脚片部６２の上面部６２Ａの上方に延在する横板部８１と、この横板部８１の端部から下方に延びて脚片部６２及びマウントゴム６３の側方に位置する縦板部８２と、この縦板部８２の端部を上記マウントゴム６３から離間する方向に折り曲げられる固定部８３とを備える。この固定部８３には、連結部材８０を底板１０にねじ止めするための、孔部８３Ａが形成されているが、この固定部８３を底板１０に溶接等の手段で固定しても良い。
この実施形態では、図７及び図８に示すように、底板１０には、開口５６が形成され、この開口５６に縦板部８２の下端が収容されている。この縦板部８２は、横板部８１の端部から脚片部６２及びマウントゴム６３に沿って下方に延びた後、水平方向に折り曲げられ、さらに上方に折り曲げられて略Ｊ字状をなしている。
このため、縦板部８２は、横板部８１の端部から脚片部６２及びマウントゴム６３に沿って下方に延びる部分８２Ａの長さを長く確保することができるとともに、２つの折り曲げ部８２Ｂ、８２Ｃを備えるため、これら折り曲げ部８２Ｂ、８２Ｃで連結部材８０にかかる応力を吸収することができる。このため、定速圧縮機１１ａ、１１ｂの起動時に密閉容器６１に作用する回転トルクを受けることにより、当該連結部材８０を設けるといった簡単な構成で、ボルト６５の傾倒が防止され、このボルト６５及び密閉容器６１に接続された配管類に作用する応力を緩和することができる。
【００２４】
以上、実施形態に基づいて本発明を説明したが、本発明はこれに限定されるものではない。例えば、連結部材は、ボルト６５の上端部６５Ｂと底板１０とを連結するのであれば適宜形状を変更することが可能である。
例えば、連結部材９０は、図９に示すように、長尺の板金を略コ字状に折り曲げ、脚片部６２の上面部６２Ａの上方に延在する横板部９１と、この横板部９１の端部から下方に延びて脚片部６２及びマウントゴム６３の側方に位置する縦板部９２と、この縦板部９２の端部を上記マウントゴム６３に接近する方向に折り曲げられる固定部９３とを備える構成としても良い。
この構成では、固定部９３は、底板１０に形成された長孔５７を通じて、底板１０の下方に延在しており、この固定部９３にナット６６が溶接されている。このため、この連結部材９０の上端（横板部９１）及び下端（固定部９３）でボルト６５を固定することができるため、このボルト６５を強固に保持することができる。さらに、この構成では、固定部９３の厚みによって底板１０の強度が補強されるため、密閉容器６１及び脚片部６２を引き抜く方向への耐荷重が向上する。
また、連結部材１００は、図１０に示すように、長尺の板金を略コ字状に折り曲げ、脚片部６２の上面部６２Ａの上方に延在する横板部１０１と、この横板部１０１の端部から下方に延びて脚片部６２及びマウントゴム６３の側方に位置する縦板部１０２と、この縦板部１０２の端部を上記マウントゴム６３に接近する方向に折り曲げられる固定部１０３とを備える構成としても良い。この構成では、固定部１０３は、底板１０とマウントゴム６３との間に配置され、脚片部６２及びマウントゴム６３を固定するボルト６５によって固定されている。なお、固定部１０３の先端部にて、この固定部１０３と底板１０とを別個のボルトで固定してもよいことは勿論である。
また、上記した実施形態では、すべての脚片部６２に連結部材を設けているが、少なくとも１つの脚片部６２に設ければよい。
【符号の説明】
【００２５】
１  空気調和装置
２Ａ、２Ｂ  室外機
３Ａ、３Ｂ  室内機
１０  底板
１１ａ、１１ｂ  定速圧縮機
１２  インバータ圧縮機
１６ａ、１６ｂ  室外熱交換器
１７ａ、１７ｂ  室外膨張弁
３１  吸込管
３２  吐出管
３７  オイル管
５９  開口
６１  密閉容器
６２  脚片部
６２Ａ１  開口
６３  マウントゴム
６５  ボルト
６６  ナット
７０、８０、９０、１００  規制部材
７１、８１、９１、１０１  横板部（部分）
７２、８２、９２、１０２  縦板部
７３、８３、９３、１０３  固定部
【図１】
0005523794.tif 000002
【図２】
0005523794.tif 000003
【図３】
0005523794.tif 000004
【図４】
0005523794.tif 000005
【図５】
0005523794.tif 000006
【図６】
0005523794.tif 000007
【図７】
0005523794.tif 000008
【図８】
0005523794.tif 000009
【図９】
0005523794.tif 000010
【図１０】
0005523794.tif 000011